(57)【特許請求の範囲】
【請求項１】
フリップに内蔵された第１の液晶表示装置と第２の液晶表示装置と、
前記第１の液晶表示装置と前記第２の液晶表示装置間及び上部に配置され、両方向に前記第１の液晶表示装置と前記第２の液晶表示装置を照射するためのバックライト手段を備え、
該バックライト手段は、
前記第１の液晶表示装置と前記第２の液晶表示装置の上部に配置され、電源を供給されて発光する発光手段と、
前記第１の液晶表示装置と前記第２の液晶表示装置間に配置されているとともに、前記発光手段から発光した光を導くように該発光手段の下部に配置され、前記光を前記第１及び第２の液晶表示装置に分配するための導光板と、
前記導光板の片面と前記第１の液晶表示装置間に設けられ、該第１の液晶表示装置に均一に光を伝達するための第１の拡散フィルムと、
前記導光板の片面と前記第２の液晶表示装置間に設けられ、該第２の液晶表示装置に均一に光を伝達するための第２の拡散フィルムを有し、
前記第１の拡散フィルムの光透過率は、前記第２の拡散フィルムの光透過率より大きいことを特徴とする両面液晶表示装置を備えた折り畳み式携帯電話機。
【請求項２】
前記バックライト手段は、前記発光手段から発光した光を集光するために、前記導光板の上部に形成された集光部を備えていることを特徴とする請求項１に記載の両面液晶表示装置を備えた折り畳み式携帯電話機。
【請求項３】
前記バックライト手段から光を伝達されて前記フリップの開閉状態に応じて前記第１及び第２の液晶表示装置が同時にあるいは選択的に発光するように、前記第１及び第２の液晶表示装置の電源を制御する電源制御部を備えていることを特徴とする請求項１に記載の両面液晶表示装置を備えた折り畳み式携帯電話機。
【請求項４】
前記発光手段は、Ｒ（赤）、Ｇ（緑）、Ｂ（青）の３つのカラーＬＥＤ発光素子からなることを特徴とする請求項１に記載の両面液晶表示装置を備えた折り畳み式携帯電話機。
【請求項５】
前記発光手段は、蛍光ランプであることを特徴とする請求項１に記載の両面液晶表示装置を備えた折り畳み式携帯電話機。
【請求項６】
前記発光手段は、ＬＥＤであることを特徴とする請求項１に記載の両面液晶表示装置を備えた折り畳み式携帯電話機。
【発明の詳細な説明】
【０００１】
【発明の属する技術分野】
本発明は、両面液晶表示装置を備えた折り畳み式携帯電話機に関し、より詳細には、一つのＬＥＤ（Light Emitting Diode）光源により発光された光が内外側（両面）液晶表示装置（ＬＣＤ：Liquid Crystal Display）に伝達されるようにして、ユーザがフリップを開けずにフリップの外部においても伝送されたメッセージや現在の機能設定及び状態を確認できるようにする折り畳み式携帯電話機の両面液晶表示装置に関する。
【０００２】
【従来の技術】
通常、携帯電話機は、ユーザが移動中の屋内や屋外、すなわち、場所に関係なく所望の相手との通話が可能にする移動通信手段であり、近年ユーザの数が激増している。このような携帯電話機の実例としては、デジタル携帯用電話機（セルラフォン）、個人通信端末器（ＰＣＳ電話）、ＩＭＴ−２０００（International Mobile Telecommunication）、ＵＭＴＳ（Universal Mobile Telecommunication Service）などのような次世代移動通信端末器、個人携帯端末器（ＰＤＡ：Personal Digital Assistants）、その他の携帯用移動通信機器などがある。
【０００３】
このような携帯電話機の折り畳み式構造を見れば、図１に示すように、携帯電話機１０は、各種の電装部品が実装され、片側の上部にアンテナが設置される。そして、ユーザが携帯電話機１０の前面部のボタンを押すことにより、通話をオン（ｏｎ）／オフ（ｏｆｆ）させたりダイヤリングできるキーパッド部１１を含む本体１０Ａから構成される。
【０００４】
また、端末器１０の上部両側にヒンジにより結合されてユーザの開閉によりキーパッド部１１を開放させるか、キーパッド部１１の押し動作による電話番号の入力及び作動状態を表示する液晶表示装置（ＬＣＤ）１２が内蔵されたフリップ１０Ｂが構成され、このフリップ１０Ｂの上部側には、受話部１３Ａとキーパッド部１１の下部に各々備わる送話部１３Ｂが設けられ、この送受話部１３Ａ、１３Ｂが備わった携帯電話機１０の内部に電源を供給するバッテリーパック１４が携帯電話機１０の背面に着脱式で装着される。
【０００５】
このような携帯電話機１０において、液晶表示装置（ＬＣＤ）１２は、その自体が非発光性である故に、暗い所では使用が不便であるので、暗い所でも使用が可能となるように表示面を均一に面照射するバックライト（backlight）が設けられる。このバックライトは、液晶表示装置（ＬＣＤ）１２の側面または後面に装着されたランプが光を発生させれば、この光を誘導して液晶表示装置（ＬＣＤ）１２に拡散させることによって、液晶画像を具現するためのものである。
【０００６】
図２は、両面液晶表示装置（ＬＣＤ）を有する折り畳み式携帯電話機を示す斜視図である。図２を参照すれば、携帯電話機２０は、本体２０Ａとフリップ２０Ｂとから構成される。本体２０Ａには、着脱式バッテリーパック２４とアンテナ２８Ａ等が備わり、フリップ２０Ｂには二つの液晶表示装置２２Ａ（図示せず）、２２Ｂが備わる。フリップ２０Ｂは、本体２０Ａのキーパッド（図示せず）の開閉のためにヒンジ２６により本体２０Ａに結合される。
【０００７】
図３は、従来の技術に係る図２のフリップ２０Ｂにバックライトを装着したものを示す断面図である。図３を参照すれば、前記フリップ２０Ｂは、外側ＬＣＤ１２１に光を発散するための電界発光（ＥＬ；electro-luminescent）バックライト１２３と、発光体（ＬＥＤ；Light Emitting Diode）（図示せず）から発散した光を内側ＬＣＤ２２Ａに伝達するための導光板１２５と、電界発光バックライト１２３の電源を制御するためのＬＣＤ印刷回路基板（ＰＣＢ；Printed Circuit Board）１２４を備える。
【０００８】
また、フリップ２０Ｂは、印刷回路基板１２４をＥＬバックライト１２３に付着してＥＬバックライト１２３を外側ＬＣＤ２２Ｂに付着するための両面テープ１２６、１２７を備える。
【０００９】
【発明が解決しようとする課題】
上述したように、従来の技術に係るフリップ２０Ｂにおける内側ＬＣＤ２２Ａは、ＬＥＤ光源（図示せず）及び導光板１２５を使用し、外側ＬＣＤ２２Ｂは、ＥＬバックライト１２３を使用することによって、内外側ＬＣＤに各々異なる光源を用いるので、製品の厚さが厚くなる問題点があり、多くの部品を使用するために、作業工程が複雑であるので製品の生産コストが上昇して製品競争力が低下するという問題点があった。
【００１０】
本発明は、このような問題に鑑みてなされたもので、その目的とするところは、一つのＬＥＤ光源により内外側のＬＣＤを同時に発光させるバックライトを使用することによって、端末器製品の厚さをスリム化させると共に、部品の点数を減らし作業工程を簡素化して製品の生産コストを低減し、生産力を増大させて競争力を向上させるための折り畳み式両面液晶表示装置を提供することにある。
【００１１】
【課題を解決するための手段】
本発明は、このような目的を達成するために、請求項１に記載の発明は、フリップに内蔵された第１の液晶表示装置と第２の液晶表示装置と、前記第１の液晶表示装置と前記第２の液晶表示装置間及び上部に配置され、両方向に前記第１の液晶表示装置と前記第２の液晶表示装置を照射するためのバックライト手段を備え、該バックライト手段は、前記第１の液晶表示装置と前記第２の液晶表示装置の上部に配置され、電源を供給されて発光する発光手段と、前記第１の液晶表示装置と前記第２の液晶表示装置間に配置されているとともに、前記発光手段から発光した光を導くように該発光手段の下部に配置され、前記光を前記第１及び第２の液晶表示装置に分配するための導光板と、前記導光板の片面と前記第１の液晶表示装置間に設けられ、該第１の液晶表示装置に均一に光を伝達するための第１の拡散フィルムと、前記導光板の片面と前記第２の液晶表示装置間に設けられ、該第２の液晶表示装置に均一に光を伝達するための第２の拡散フィルムを有し、前記第１の拡散フィルムの光透過率は、前記第２の拡散フィルムの光透過率より大きいことを特徴とする。
【００１５】
また、請求項２に記載の発明は、請求項１に記載の発明において、前記バックライト手段は、前記発光手段から発光した光を集光するために、前記導光板の上部に形成された集光部を備えていることを特徴とする。
【００１６】
また、請求項３に記載の発明は、請求項１に記載の発明において、前記バックライト手段から光を伝達されて前記フリップの開閉状態に応じて前記第１及び第２の液晶表示装置が同時にあるいは選択的に発光するように、前記第１及び第２の液晶表示装置の電源を制御する電源制御部を備えていることを特徴とする。
【００１７】
また、請求項４に記載の発明は、請求項１に記載の発明において、前記発光手段は、Ｒ（赤）、Ｇ（緑）、Ｂ（青）の３つのカラーＬＥＤ発光素子からなることを特徴とする。
【００１８】
また、請求項５に記載の発明は、請求項１に記載の発明において、前記発光手段は、蛍光ランプであることを特徴とする。
【００１９】
また、請求項６に記載の発明は、請求項１に記載の発明において、前記発光手段は、ＬＥＤであることを特徴とする。
【００２０】
【発明の実施の形態】
以下、図面を参照して本発明の実施の形態について説明する。
図４は、本発明の一実施例に係るバックライト装置を備えた両面液晶表示装置の分離斜視図で、図５は、本発明の一実施例に係る両面液晶表示装置を備えた携帯電話機の側断面図で、図６は、本発明の一実施例に係る両面液晶表示装置を備えたフリップの平断面図である。
【００２１】
本発明が適用される携帯電話機は、各種の電装部品が実装され、片側上部にアンテナが設置される。そして、携帯電話機の前面部に、ユーザが押すことにより通話をオン／オフさせたりダイヤリングできるキーパッド部が備える。また、携帯電話機の上部両側にヒンジにより結合されてユーザの開閉によりキーパッド部を開放させるか、キーパッド部の押し動作による電話番号の入力及び作動状態を表示する液晶表示装置（ＬＣＤ）が内蔵されたフリップが設けられ、このフリップの上部側とキーパッド部の下部に各々送受話部が備わり、この送受話部が備わった端末器の内部に電源を供給するバッテリーパックが携帯電話機の背面に着脱式に装着される。
【００２２】
このように構成される携帯電話機における、本発明の折り畳み式両面液晶表示装置の構造を述べると、電源を供給されて発光するＬＥＤ光源２６２が備わり、ＬＥＤ光源２６２から発光された光を両方向に伝達して拡散させるバックライトが備わり、バックライトを中心に内外側２個のＬＣＤ２７、２８が対称に形成される。
【００２３】
内外側２個のＬＣＤ２７、２８には、バックライトから光を伝達されてフリップの開閉状態に応じて同時にまたは選択的に内外側２個のＬＣＤ２７、２８の電源を制御する電源制御部が備わる。
【００２４】
バックライトは、バッテリーパック１４から電源を供給されて発光したＬＥＤ光源２６２を内外側２個のＬＣＤ２７、２８に伝達するが、ＬＥＤ光源２６２で発光した光を伝達する導光板２３を備え、導光板２３の縁を支持するために、上部ケース２１の内側にホルダー２４Ａを備え、ホルダー２４Ａの上部に内挿されるフレキシブルＰＣＢ２５を備え、フレキシブルＰＣＢ２５の片側に一つのＬＥＤ光源２６２がされて二方向に光を伝達する発光部２６を備える。この場合、内外側の２個のＬＣＤ２７、２８は、発光部２６から光を伝達されて同時に発光する。
【００２５】
以下に、さらに具体的に説明する。
導光板２３には、上端部が上部から下部に一定角度に傾斜するように形成され、第１及び第２の拡散フィルム２３２Ａ、２３２Ｂは、光を均一に内外側ＬＣＤ２７、２８に照射するために拡散材料に用いられる。第１の拡散フィルムは、内側ＬＣＤ２７に均一に光を伝達するために、内側ＬＣＤ２７と導光板２３との間に備わり、第２の拡散フィルムは、外側ＬＣＤ２８に均一に光を伝達するために、外側ＬＣＤ２８と導光板２３との間に備わるが、第１の拡散フィルムの光透過率は、第２の拡散フィルムの光透過率より高いものを使用する。したがって、導光板２３は、集光板２３１で集光された光を内外側の両方向に伝達する。
【００２６】
発光部２６には、バッテリーパック１４から電源を受け取って動作を制御する制御部材２６１が備わり、この制御部材２６１の制御により光が点灯されるか消灯されるＬＥＤ光源２６２が備わり、このＬＥＤ光源２６２で点灯される光が外部に流出されることを防止する遮光板２６３が備わる。
【００２７】
ＬＥＤ光源２６２は、Ｒ（赤）、Ｇ（緑）、Ｂ（青）の３つのカラーを同時に発光するＬＥＤ発光素子からなる。
【００２８】
以下では、上述したように構成されたバックライトの組立過程を述べる。
まず、図５及び図６に示すように、導光板２３をホルダー２４Ａの内側に挿入し、導光板２３の底面に内側ＬＣＤ２７を付着して、導光板２３の上部にフレキシブルＰＣＢ２５を位置させた後、ホルダー２４Ａと固定部材で固定させ、フレキシブルＰＣＢ２５の上面に外側ＬＣＤ２８を固定させる。また、フレキシブルＰＣＢ２５の片側面にＬＥＤ光源２６２を固定させる。
【００２９】
ＬＥＤ光源２６２から発光する光が外部に流出されることを遮断するために、ＬＥＤ光源２６２の上部を収容できるように、光を遮断する遮光板２６３をホルダー２４の上部に固定させる。
【００３０】
以上のように、内外側ＬＣＤ２７、２８と各種の部品が固定された導光板２３をホルダー２４Ａの内側に結合させ、上部ケース２１の内挿溝２１１に内挿させる。この場合、導光板２３の上部に形成された集光板２３１は、ホルダー２４Ａの内側に内挿され、上部ケース２１の内挿溝２１１には、外側ＬＣＤ２８が内挿Ａされ、ホルダー２４Ａの内部に内側ＬＣＤ２７が内挿される。また、ホルダー２４Ａは、上部ケース２１の内側に結合される。
【００３１】
このように、ホルダー２４Ａに内挿された導光板２３が離脱しないように、下部ケース２２を上部ケース２１の上部から下部に結合させる。また、固定された上下部ケース２１、２２の片側に、保護板２１２を固定させた後、端末器の上部に形成されたヒンジ軸１５に回転可能に固定させればフリップが完成される。
【００３２】
次は、上記のように固定されたバックライトの作動過程を説明する。
まず、制御部材２６１に電源が印加されて制御を解除し、フレキシブルＰＣＢ２５の制御により、ＬＥＤ光源２６２で光を発散すれば、この光は集光板２３１を介して集光されて導光板２３全体に拡散され、導光板２３に拡散された光は、拡散フィルム２３２Ａ、２３２Ｂを介して同時に内外側ＬＣＤ２７、２８に伝達され、上下部ケース２１、２２に付着された保護板２１２を介して外部に発散される。この場合、ユーザがメッセージやその他の機能を容易に確認できるように光を提供するのである。
【００３３】
また、本発明の他の実施例として、ＳＴＮ（Supertwist Nematic）ＬＣＤ、ＴＦＴ（Thin Film Transistor）ＬＣＤ等、内外側ＬＣＤの種類によってＬＥＤ光源のみでなく、蛍光ランプ等他の光源を使用することによって、本発明の目的を達成することができるのは明らかである。
【００３４】
なお、本発明は、本実施例に限られるものではない。本発明の趣旨から逸脱しない範囲内で多様に変更実施することが可能である。
【００３５】
【発明の効果】
以上説明したように本発明によれば、一つのＬＥＤ光源で内外側のＬＣＤを同時に発光させるバックライトを使用して携帯電話機の厚さをスリム化させるとともに、部品の点数を減らし作業工程を簡素化して、製品の生産コストを低減し、生産力を増大させて競争力を向上させることができる効果がある。
【図面の簡単な説明】
【図１】通常の折り畳み式携帯電話機の斜視図である。
【図２】両面液晶表示装置（ＬＣＤ）を有する折り畳み式携帯電話機を示す斜視図である。
【図３】従来の技術に係る図２のフリップにバックライトを装着したものを示す断面図である。
【図４】本発明の一実施例に係るバックライト装置を備えた両面液晶表示装置の分離斜視図である。
【図５】本発明の一実施例に係る両面液晶表示装置を備えた携帯電話機の側断面図である。
【図６】本発明の一実施例に係る両面液晶表示装置を備えたフリップの平断面図である。
【符号の説明】
１０，２０  携帯電話機
１０Ｂ  フリップ
１１  キーパッド部
１２  液晶表示装置（ＬＣＤ）
１２３  電界発光バックライト
１２４  回路基板
１２５  導光板
１２６，１２７  両面テープ
１３Ａ  受話部
１３Ｂ  送話部
１４，２４  着脱式バッテリーパック
１５  ヒンジ軸
２０Ａ  本体
２０Ｂ  フリップ
２１  上部ケース
２１１  内挿溝
２１２  保護板
２２  下部ケース
２２Ａ、２２Ｂ、２７、２８  液晶表示装置（ＬＣＤ）
２３、１２３  導光板
２３１  集光板
２３２Ａ，２３２Ｂ  拡散フィルム
２４Ａ  ホルダー
２５  フレキシブルＰＣＢ
２６  発光部
２６１  制御部材
２６２  ＬＥＤ光源
２６３  遮光板
２８Ａ  アンテナ
【図１】
0004034079.tif 000002
【図２】
0004034079.tif 000003
【図３】
0004034079.tif 000004
【図４】
0004034079.tif 000005
【図５】
0004034079.tif 000006
【図６】
0004034079.tif 000007